(57)【特許請求の範囲】
【請求項１】
廃棄物を埋設処分する坑道を閉塞させるように設置され、該坑道内に前記廃棄物を封止するように充填された膨潤性の緩衝材の膨潤圧を受け止める廃棄物埋設処分施設のプラグ構造であって、
金属製箱状に形成されたセグメント本体及び該セグメント本体に充填された膨潤性粘土材からなる複数の複合セグメントが前記坑道の内面を被覆するように連設されて形成された覆工部と、前記覆工部と繋がり前記坑道を閉塞させるように連設された複数の前記複合セグメントからなる隔壁部と、前記覆工部に接続されるとともに前記坑道外側の地盤に定着された支持部とを備えて、前記緩衝材が地下水と接触して膨潤した際に作用する膨潤圧を前記隔壁部から前記覆工部に伝達し前記支持部で支持可能に構成され、
前記隔壁部が、前記坑道の軸線方向内側に向けて凸の断面アーチ状に形成されていることを特徴とする廃棄物埋設処分施設のプラグ構造。
【請求項２】
請求項１記載の廃棄物埋設処分施設のプラグ構造において、
前記支持部が摩擦定着型のロックボルトであることを特徴とする廃棄物埋設処分施設のプラグ構造。
【請求項３】
請求項１または２記載の廃棄物埋設処分施設のプラグ構造において、
前記隔壁部の複合セグメントは、前記坑道の軸線方向内側から前記軸線方向外側に向かうに従い幅が漸次小となるくさび状に形成されていることを特徴とする廃棄物埋設処分施設のプラグ構造。
【請求項４】
請求項１から請求項３のいずれか１項に記載の廃棄物埋設処分施設のプラグ構造において、
前記覆工部の複合セグメントは、前記セグメント本体に充填された前記膨潤性粘土材の露出面が前記坑道の内面側を向くように設置されていることを特徴とする廃棄物埋設処分施設のプラグ構造。
【発明の詳細な説明】
【技術分野】
【０００１】
本発明は、例えば放射性廃棄物などの廃棄物を埋設処分する廃棄物埋設処分施設のプラグ構造に関する。
【背景技術】
【０００２】
例えば地下３００ｍを超える地下深部に高レベルの放射性廃棄物を埋設処分することが検討されている。この際、放射性廃棄物は、例えばガラスと混ぜて固化され、このガラス固化体を炭素鋼などからなるオーバーパックで密閉して廃棄体を形成した状態で処分される。また、図６及び図７に示すように、地下深部に略環状に繋がる主要坑道１と、この主要坑道１と繋がるように形成した処分坑道や処分孔（以下、処分坑道２という）とを備えて廃棄物埋設処分施設Ａが形成され、この処分坑道２に廃棄体が処分される。この種の廃棄物埋設処分施設Ａに廃棄体を処分する際には、地下水の浸入を阻止するとともに地盤Ｔからの圧力が廃棄体に作用することを抑制するための緩衝材３が処分坑道２を埋め戻すように設けられ、廃棄体がその周りを緩衝材３で覆われてこれに埋設される。
【０００３】
このような緩衝材３には、膨潤性や放射性廃棄物の吸着性に優れるベントナイトやベントナイト混合材（ベントナイト系粘土材）が用いられ、地盤Ｔから処分坑道２に浸入した地下水が接触するとともに膨潤し、地盤Ｔを押圧することでさらなる地下水の浸入を防止したり、膨潤に伴い緩衝材３の透水係数が低下して地下水の浸透を防止することができる。これにより、放射性廃棄物を確実に外部から隔離することが可能とされている。
【０００４】
一方、上記のように緩衝材３としてベントナイト系粘土材を用いた場合には、緩衝材３が膨潤するとともに、その膨潤圧によって処分坑道２から主要坑道１にはみ出すように膨出し、この結果として廃棄体を覆う緩衝材３の密度が低下し、地下水の遮蔽能力ひいては放射性物質の封止能力が低下してしまう。また、このように膨出して密度低下を生じた緩衝材３を再度処分坑道２から取り出し、所定の密度で設置し直すことは、多大な労力を要することになる。
【０００５】
このため、この種の廃棄物埋設処分施設Ａにおいては、例えば特許文献１や特許文献２に開示された地下空間に高圧気体を貯蔵する施設のように、処分坑道２の端部２ａ側に処分坑道２を閉塞させるコンクリート製のプラグ（閉塞プラグ）４を設置して、膨潤する緩衝材３を受け止めその膨出を防いで密度低下が生じることを防止することが考えられている。
【特許文献１】特開平５−２１３４２２号公報
【特許文献２】特開平６−２１２８９９号公報
【発明の開示】
【発明が解決しようとする課題】
【０００６】
しかしながら、上記のコンクリート製プラグ４を採用した場合には、図８に示すように、作用した膨潤圧に対する反力を得るため、処分坑道２を拡幅掘削して切欠部５を形成し、この切欠部５に周縁部を配置してプラグ４を設置する必要が生じる。このように切欠部５を形成するために処分坑道２を拡幅掘削した場合には、処分坑道２自体の掘削時に生じる地盤Ｔの緩み領域Ｔ１に対し外側に新たな緩み領域Ｔ２が形成され、また、これら新旧の緩み領域Ｔ１、Ｔ２が連続することになる。このため、連続する新旧の緩み領域Ｔ１、Ｔ２が水みちとなって処分坑道２に地下水が浸入しやすくなり、地下水の遮蔽性能の低下を招くという問題があった。
【０００７】
さらに、コンクリート製プラグ４においては、セメントからＣａ（カルシウム）や高アルカリ成分が地下水に溶出することになり、特にＣａイオンによって緩衝材３が劣化するという問題があった。すなわち、ベントナイトは、その膨潤性に優れるという点でＮａ（ナトリウム）を担持したＮａ型ベントナイトが用いられるが、このＮａ型ベントナイトは、Ｃａイオンと接触するとＮａとＣａのイオン交換がなされ、膨潤性に劣るＣａ型ベントナイトに変質してしまう。このため、緩衝材３の膨潤性が乏しくなり地下水の遮蔽能力ひいては放射性物質の遮蔽能力の低下を招くという問題があった。
【０００８】
本発明は、上記事情を鑑み、例えば放射性廃棄物などの廃棄物を封止する緩衝材の劣化や密度低下を確実に防止して、廃棄物を好適に埋設処分することが可能な廃棄物埋設処分施設のプラグ構造を提供することを目的とする。
【課題を解決するための手段】
【０００９】
上記の目的を達するために、この発明は以下の手段を提供している。
【００１０】
本発明の廃棄物埋設処分施設のプラグ構造は、廃棄物を埋設処分する坑道を閉塞させるように設置され、該坑道内に前記廃棄物を封止するように充填された膨潤性の緩衝材の膨潤圧を受け止める廃棄物埋設処分施設のプラグ構造であって、金属製箱状に形成されたセグメント本体及び該セグメント本体に充填された膨潤性粘土材からなる複数の複合セグメントが前記坑道の内面を被覆するように連設されて形成された覆工部と、前記覆工部と繋がり前記坑道を閉塞させるように連設された複数の前記複合セグメントからなる隔壁部と、前記覆工部に接続されるとともに前記坑道外側の地盤に定着された支持部とを備えて、前記緩衝材が地下水と接触して膨潤した際に作用する膨潤圧を前記隔壁部から前記覆工部に伝達し前記支持部で支持可能に構成され、前記隔壁部が、前記坑道の軸線方向内側に向けて凸の断面アーチ状に形成されていることを特徴とする。
【００１１】
また、本発明の廃棄物埋設処分施設のプラグ構造においては、前記支持部が摩擦定着型のロックボルトであることが望ましい。
【００１３】
また、本発明の廃棄物処分施設のプラグ構造においては、前記隔壁部の複合セグメントが、前記坑道の軸線方向内側から前記軸線方向外側に向かうに従い幅が漸次小となるくさび状に形成されていることがさらに望ましい。
【００１４】
さらに、本発明の廃棄物処分施設のプラグ構造においては、前記覆工部の複合セグメントが、前記セグメント本体に充填された前記膨潤性粘土材の露出面が前記坑道の内面側を向くように設置されていることが望ましい。
【発明の効果】
【００１５】
本発明の廃棄物埋設処分施設のプラグ構造によれば、坑道の内面を被覆するように形成された覆工部と、覆工部に繋がり坑道を閉塞させるように形成された隔壁部と、覆工部に接続されたロックボルトからなる支持部とから構成されているため、緩衝材が地下水と接触して膨潤した際に作用する膨潤圧を隔壁部から覆工部に伝達し支持部で支持することができる。これにより、コンクリート製プラグと異なり坑道を拡幅掘削して切欠部を形成する必要がないため、地下水の遮蔽性能の低下を招くことがない。
【００１６】
また、緩衝材と直接接触する隔壁部やこれを支持する覆工部が、金属製のセグメント本体と膨潤性粘土材からなる複合セグメントで形成されるため、すなわちセメント系材料が使用されていないため、緩衝材が劣化することを防止でき、確実に廃棄物を封止して処分することが可能になる。さらに、隔壁部や覆工部のセグメント本体が長期に亘って地下水と接触するなどして腐食した場合においても、腐食した欠陥部から浸入した地下水が膨潤性粘土材に接触するとともにこれを膨潤させ、この膨潤性粘土材によって欠陥部を埋めることができる。これにより、地下水の遮蔽能力を長期的に確実に維持することが可能になる。
さらに、本発明の廃棄物埋設処分施設のプラグ構造においては、隔壁部が坑道の軸線方向内側に向けて凸の断面アーチ状に形成されていることによって、確実に緩衝材から作用する膨潤圧を隔壁部で受けて覆工部に伝達し支持部で受け止めることができる。
【００１７】
また、本発明の廃棄物埋設処分施設のプラグ構造においては、支持部が摩擦定着型のロックボルトであることによって、プラグ構造を完全にセメント材料を使用することなく構成することができ、より確実に緩衝材が劣化することを防止できる。
【００１９】
また、本発明の廃棄物埋設処分施設のプラグ構造においては、隔壁部の複合セグメントが坑道の軸線方向内側から軸線方向外側に向かうに従い幅が漸次小となるくさび状に形成されていることによって、大きな膨潤圧が作用するほどに隔壁部の複合セグメントの一体性が確保されることになり、確実に膨潤圧を受け止めることができる。
【００２０】
さらに、本発明の廃棄物埋設処分施設のプラグ構造においては、覆工部の複合セグメントがセグメント本体に充填された膨潤性粘土材の露出面を坑道の内面側に向けて設置されていることにより、覆工部において地下水が地盤から坑道の内面に浸透した場合においても、この地下水を膨潤性粘土材に接触させることができ、膨潤性粘土材の膨潤とともに覆工部と坑道の内面との隙間が押圧状態で埋められ、この隙間を通じて緩衝材に地下水が浸入することを確実に防止できる。
【発明を実施するための最良の形態】
【００２１】
以下、図１から図５を参照し、本発明の一実施形態に係る廃棄物埋設処分施設のプラグ構造について説明する。本実施形態は、例えば地下３００ｍを超える地下深部の岩盤（地盤）に高レベルの放射性廃棄物を埋設処分するための廃棄物埋設処分施設のプラグ構造に関するものである。
【００２２】
本実施形態の廃棄物埋設処分施設Ｂは、図１及び図２に示すように、地上から地下深部に向けて構築され、地下深部で略環状に繋がる主要坑道１と、主要坑道１に連設されその内部に放射性廃棄物が処分される複数条の処分坑道（坑道）２と、放射性廃棄物の周りを覆うようにして処分坑道２に充填される緩衝材３と、処分坑道２の両端部２ａ側に処分坑道２を閉塞させるようにそれぞれ設けられたプラグ（プラグ構造）１０とから構成されている。
【００２３】
ここで、処分対象の放射性廃棄物は、例えば放射レベルの高い廃液をガラスと混ぜて固化し、このガラス固化体を炭素鋼などからなるオーバーパックで密閉した廃棄体の状態で処分される。そして、このように処分坑道２に処分される廃棄体は、自然地盤の天然バリアと主に緩衝材３からなる人工バリアによって生物圏から隔離され、放射性物質による影響が将来にわたって人間の環境に及ばないように処分される。
【００２４】
処分坑道２には、図２及び図３に示すように、地盤Ｔの掘削内面に、この掘削内面の曲率半径と略等しい曲率半径を備えた複数の円弧盤状の覆工セグメント１１Ａが周方向に連続して設けられ、周方向の掘削内面を被覆して支持する環状のセグメントリング体１２が形成されている。また、セグメントリング体１２が処分坑道２の軸線Ｏ１方向に連続するように接続されて、掘削内面を被覆支持する覆工が形成されている。なお、この覆工は、後述する本実施形態のプラグ１０の覆工部１３とほぼ同様の複合セグメント（覆工セグメント）１１Ａを用いて形成されている。
【００２５】
緩衝材３は、膨潤性や放射性廃棄物の吸着性に優れるベントナイトまたはベントナイト混合材であり、処分坑道２内の廃棄体を封止するように、覆工と処分坑道２の両端部２ａ側に設置されるプラグ１０とで画成された空間Ｓ内に充填されている。この緩衝材３は、地盤Ｔから処分坑道２内に浸入した地下水が接触すると膨潤し、膨潤とともにその透水係数が大幅に低下して封止した廃棄体に地下水が接触することを防止する。また、例えば地盤Ｔの変位などによって廃棄体に作用する力を緩衝するものとされ、さらに、例えば廃棄体が損傷されて放射性物質が放出されるような場合には、この放射性物質を吸着し外部への漏出を抑制する。
【００２６】
本実施形態のプラグ１０は、図２から図５に示すように、鋼製のセグメント本体１１ａ及びベントナイト系粘土材（膨潤性粘土材）１１ｂからなる複数の複合セグメント１１Ｂが処分坑道２の両端部２ａ側の掘削内面に周方向に環状に設置された覆工部１３と、覆工部１３と同様に複数の複合セグメント１１Ｃからなり処分坑道２を閉塞させるように設けられた隔壁部１４と、覆工部１３に貫通しつつ接続されて地盤Ｔ内に延設された複数のロックボルト１５ａからなる支持部１５とを備えて構成されている。
【００２７】
本実施形態において、覆工部１３及び隔壁部１４を形成する複合セグメント１１Ｂ、１１Ｃは、セグメント本体１１ａが、上面側が開口した鋼製箱状に形成され、その内部にベントナイト系粘土材１１ｂが圧縮されつつ充填されて形成されている。そして、覆工部１３において、この複合セグメント１１Ｂは、セグメント本体１１ａの開口する上面側を掘削内面側に向けて、すなわちベントナイト系粘土材１１ｂの露出面１１ｄを掘削内面に向けて設置されている。
【００２８】
隔壁部１４は、図２に示すように、処分坑道２の軸線Ｏ１に沿う断面が緩衝材３側（処分坑道２の軸線Ｏ１方向内側）に凸のアーチ状を呈するように形成されている。そして、この隔壁部１４は、図４に示すように、処分坑道２の軸線Ｏ１方向内側からの正面視で、処分坑道２の外周側に周方向に並べられた複数の複合セグメント１１Ｃからなる環状の隔壁本体部１６と、隔壁本体部１６の内孔に嵌合設置されマンホール１７ａを備えた１つの複合セグメント１１Ｃからなるマンホール部１７とから構成されている。
【００２９】
隔壁本体部１６は、径方向外側の周方向の幅が径方向内側の周方向の幅よりも大きく形成されて略扇状を呈する複数の複合セグメント１１Ｃが周方向に並設されて形成されており、各複合セグメント１１Ｃの径方向外側が覆工部１３の先端１３ａに接続されて環状に形成されている。また、これらの複合セグメント１１Ｃは、処分坑道２の軸線Ｏ１方向内側から外側に向かうに従い径方向及び周方向の幅が漸次小となるくさび状に形成されている。そして、隔壁本体部１６の周方向に隣接する複合セグメント１１Ｃ同士は、周方向を向く端面同士を密着させた状態で例えばボルトが締結されて互いに一体結合されている。
【００３０】
一方、マンホール部１７は、隔壁本体部１６の複数の複合セグメント１１Ｃの径方向内側の端面で画成された内孔に嵌合される平面視で略円形を呈する１つの複合セグメント１１Ｃからなり、隔壁本体部１６の複合セグメント１１Ｃと同様に、処分坑道２の軸線Ｏ１方向内側から外側に向かうに従い径方向及び周方向の幅が漸次小となるくさび状に形成されている。そして、隔壁本体部１６の複合セグメント１１Ｃに、端面同士が密着した状態で例えばボルトで締結されている。また、マンホール部１７には、隔壁部１４の内面から外面に貫通し断面円形を呈するマンホール１７ａが具備されている。ちなみに、このマンホール１７ａは、例えば図示せぬ鋼製の蓋体などが設けられて閉塞可能とされ、廃棄体の処分時には、開放されて処分坑道２内への資機材の搬出入や点検などに用いられ、廃棄体の処分後には、例えばベントナイト系粘土材が充填されて封止される。
【００３１】
支持部１５を構成する複数のロックボルト１５ａは、図２に示すように、それぞれ例えば膨張可能で高耐食性の鋼管１５ｂからなり、覆工部１３の複合セグメント１１Ｂに接続される後端側に対し、先端側が処分坑道２の軸線Ｏ１方向内側に配されつつ、処分坑道２の外側に向けて延設されている。また、このロックボルト１５ａは、図５（ａ）に示すように、地盤Ｔに設けられた削孔１５ｃ内に鋼管１５ｂを挿入した段階で、鋼管１５ｂ内に圧力を付加しながら例えばエタノールを混合したベントナイト泥水（エタノールベントナイト）を注入すると、図５（ｂ）に示す鋼管１５ｂ断面が図５（ｃ）に示すように膨張し、その外面が削孔１５ｃ内面に押圧されることによって摩擦定着される。なお、このように鋼管１５ｂ内にエタノールベントナイトが充填された場合には、地盤Ｔから地下水が浸入するに従いエタノールと地下水が置換されてベントナイトが膨潤し、鋼管１５ｂと地盤Ｔとの摩擦力が大きくなって確実にロックボルト１５ａが定着される。また、鋼管１５ｂの外面と削孔１５ｃ内面との間にエタノールベントナイトが介在されてもよく、この場合には、地下水とエタノールが置換されるとともに膨潤圧が発生し強固に地盤Ｔに密着して確実にロックボルト１５ａを定着させることができる。
【００３２】
上記のように構成された本実施形態の廃棄物埋設処分施設Ｂのプラグ１０は、処分坑道２の内面を被覆するように複合セグメント１１Ｂを設置して覆工部１３を形成し、ついで地盤Ｔに削孔１５ｃを設けるとともにロックボルト１５ａを設置して、覆工部１３に接続されつつ地盤Ｔに定着された支持部１５を形成する。そして、最後に処分坑道２を閉塞させるように複合セグメント１１Ｃを設置して隔壁部１４を形成してその施工が完了する。このように設けられる本実施形態のプラグ１０においては、コンクリート製のプラグを設置する場合と異なり、処分坑道２を拡幅掘削して切欠部５を形成する必要がなく、地盤Ｔに新たな緩み領域Ｔ２が形成されることがないため、地下水の遮蔽性能の低下を招くことがない。
【００３３】
また、両端部２ａ側にそれぞれ設けたプラグ１０で処分坑道２内に封止した緩衝材３に地盤Ｔから浸透した地下水が接触し、この緩衝材３が膨潤した場合には、直接緩衝材３と接触する隔壁部１４に膨潤圧が作用し、この膨潤圧を隔壁部１４から覆工部１３に伝達して支持部１５のロックボルト１５ａで受け止めることができる。このとき、隔壁部１４が処分坑道２の軸線Ｏ１方向内側に凸のアーチ状に形成されるとともに、隔壁部１４を形成する複合セグメント１１Ｃがくさび状に形成され、かつ隔壁部１４の外周側の端部が覆工部１３の先端１３ａに接続されているため、作用した膨潤圧で隔壁部１４の複合セグメント１１Ｃがずれたりすることがなく、確実に膨潤圧を隔壁部１４で受けて覆工部１３に伝達し支持することができる。これにより、膨潤した緩衝材３の密度低下を防止して確実に廃棄体を封止することができる。
【００３４】
さらに、覆工部１３及び隔壁部１４を構成する複合セグメント１１Ｂ、１１Ｃが、鋼製のセグメント本体１１ａとベントナイト系粘土材１１ｂとから形成され、かつ支持部１５のロックボルト１５ａが鋼管１５ｂとエタノールベントナイトとから形成される摩擦定着型のロックボルトとされているため、すなわち、本実施形態のプラグ１０にはセメント材料が使用されていないため、緩衝材３に接触する地下水がアルカリ性を呈したり、地下水にカルシウムイオンが多量に含有されるようなことがない。これにより、緩衝材３が劣化することを防止でき、確実に廃棄体を封止して処分することが可能になる。
【００３５】
また、覆工部１３がベントナイト系粘土材１１ｂの露出面１１ｄを処分坑道２の内面側に向けて設置されているため、この部分の地盤から浸透する地下水がベントナイト系粘土材に接触するとともに膨潤して、覆工部１３と処分坑道２の内面との隙間を押圧状態で埋めることができ、この隙間を通じて緩衝材３に地下水が浸入することを確実に防止できる。これに加えて、覆工部１３や隔壁部１４が長期に亘って地下水と接触するなどして、複合セグメント１１Ｂ、１１Ｃのセグメント本体１１ａに腐食が発生した場合においても、腐食した欠陥部から浸入した地下水がセグメント本体１１ａに充填されたベントナイト系粘土材１１ｂに接触することになり、このベントナイト系粘土材１１ｂが膨潤して欠陥部を埋めることができる。これにより、地下水の遮蔽能力を長期的に確実に維持することが可能になる。
【００３６】
したがって、本実施形態の廃棄物埋設処分施設Ｂのプラグ構造１０によれば、緩衝材３の膨潤圧を確実に受け止めることができるととともに緩衝材３の劣化や密度低下を防止でき、かつ地下水の遮蔽能力を長期間確実に維持することができるため、長期に亘って放射性廃棄物を確実に隔離することが可能になる。
【００３７】
以上、本発明に係る廃棄物埋設処分施設Ｂのプラグ構造１０の一実施形態について説明したが、本発明は上記の一実施形態に限定されるものではなく、その趣旨を逸脱しない範囲で適宜変更可能である。例えば、本実施形態では、覆工部１３や隔壁部１４を形成する複合セグメント１１Ｂ、１１Ｃが、鋼製のセグメント本体１１ａとベントナイト系粘土材１１ｂから構成されているものとしたが、セグメント本体１１ａは、例えば鋳鉄など他の金属材料で形成されてもよく、また、セグメント本体１１ａに充填される膨潤性粘土材は、ベントナイト系粘土材１１ｂに限定される必要はない。
【００３８】
さらに、覆工部１３は、複合セグメント１１Ｂのベントナイト系粘土材１１ｂの露出面１１ｄを処分坑道２の掘削内面に向けて設置されて形成されるものとしたが、ベントナイト系粘土材１１ｂの露出面１１ｄを処分坑道２の内部に向けて設置して形成されてもよく、この場合には、覆工部１３と処分坑道２の間にベントナイト系粘土材が裏込め充填されてもよい。また、本実施形態では、支持部１５が摩擦定着型のロックボルト１５ａであるものとしたが、例えば摩擦定着以外の方法で地盤Ｔに定着されるロックボルトや、アンカーであってもよい。
【００３９】
また、本実施形態では、処分する廃棄物が放射性廃棄物であるものとして説明を行なったが、他の有害物質を処分する廃棄物埋設処分施設に本発明のプラグ構造１０が適用されてもよいものである。さらに、本実施形態では、プラグ構造１０が処分坑道２の両端部２ａ側にそれぞれ設けられているものとしたが、一端が閉塞された処分孔（坑道）の端部に設けられて、この処分孔内に廃棄体を埋設するように充填されたた緩衝材の膨出を抑えるために用いられてもよい。
【図面の簡単な説明】
【００４０】
【図１】本発明の一実施形態に係る廃棄物埋設処分施設を示す斜視図である。
【図２】本発明の一実施形態に係る廃棄物埋設処分施設のプラグ構造を示す断面図である。
【図３】図２の廃棄物埋設処分施設のプラグ構造の覆工部を示す斜視図である。
【図４】図２の廃棄物埋設処分施設のプラグ構造の隔壁部を示す坑道内側からの平面図である。
【図５】図２の廃棄物埋設処分施設のプラグ構造の支持部のロックボルトを示す図である。
【図６】コンクリート製プラグを備えた廃棄物埋設処分施設を示す斜視図である。
【図７】図６の廃棄物埋設処分施設の処分坑道を示す断面図である。
【図８】図６の処分坑道に形成された切欠部を示す断面図である。
【符号の説明】
【００４１】
１      主要坑道
２      処分坑道（坑道）
２ａ    端部
３      緩衝材
１０    プラグ（プラグ構造）
１１Ａ  複合セグメント
１１Ｂ  複合セグメント
１１Ｃ  複合セグメント
１１ａ  セグメント本体
１１ｂ  ベントナイト系粘土材（膨潤性粘土材）
１１ｄ  露出面
１３    覆工部
１４    隔壁部
１５    支持部
１５ａ  ロックボルト
１５ｂ  鋼管
１６    隔壁本体部
１７    マンホール部
１７ａ  マンホール
Ａ      廃棄物埋設処分施設
Ｂ      廃棄物埋設処分施設
Ｔ      地盤
Ｏ１    処分坑道の軸線
【図１】
0004660821.tif 000002
【図２】
0004660821.tif 000003
【図３】
0004660821.tif 000004
【図４】
0004660821.tif 000005
【図５】
0004660821.tif 000006
【図６】
0004660821.tif 000007
【図７】
0004660821.tif 000008
【図８】
0004660821.tif 000009